(57)【要約】【課題】希望波と妨害波とのレベル情報を同時に得ることができ、かつ小規模な回路を用いて短時間で受信状況に適したゲイン設定にする技術を提供する。【解決手段】入力された高周波信号を増幅する高周波アンプ２１と、高周波アンプ２１の出力信号を周波数変換するミキサ３１と、第１の周波数特性を有してミキサ３１の出力信号を受ける第１のフィルタ７１と、第１のフィルタ７１の出力信号のピークレベルを検出する第１のピーク検出器８１と、第１の周波数特性とは異なる第２の周波数特性を有してミキサ３１の出力信号を受ける第２のフィルタ７２と、第２のフィルタ７２の出力信号のピークレベルを検出する第２のピーク検出器８２と、第１及び第２のピーク検出器８１，８２の各々の出力信号に応じて、高周波アンプ２１、ミキサ３１のうち少なくとも１つのゲインを制御する制御部９２とを設ける。【選択図】図１
2015126365.tif 000002
【特許請求の範囲】
【請求項１】
入力された高周波信号を増幅する高周波アンプと、
前記高周波アンプの出力信号を周波数変換するミキサと、
第１の周波数特性を有して前記ミキサの出力信号を受ける第１のフィルタと、
前記第１のフィルタの出力信号のピークレベルを検出する第１のピーク検出器と、
前記第１の周波数特性とは異なる第２の周波数特性を有して前記ミキサの出力信号を受ける第２のフィルタと、
前記第２のフィルタの出力信号のピークレベルを検出する第２のピーク検出器と、
前記第１及び第２のピーク検出器の各々の出力信号に応じて、前記高周波アンプ、前記ミキサのうち少なくとも１つのゲインを制御する制御部とを備えた受信機。
【請求項２】
請求項１記載の受信機において、
前記第１のフィルタは、希望波に対して妨害波を相対的に減衰させるフィルタであり、
前記第２のフィルタは、前記妨害波に対して前記希望波を相対的に減衰させるフィルタである受信機。
【請求項３】
請求項１記載の受信機において、
前記第１及び第２のピーク検出器の各々は、
入力信号をゲートに受けるトランジスタと、
前記トランジスタに直列接続されたピークレベル保持器とを有する受信機。
【請求項４】
請求項１記載の受信機において、
前記第１及び第２のピーク検出器の各々は、
相補のＩ信号を各々のゲートに受ける第１の差動トランジスタ対と、
相補のＱ信号を各々のゲートに受ける第２の差動トランジスタ対と、
前記第１及び第２の差動トランジスタ対に対して直列接続されたピークレベル保持器とを有する受信機。
【請求項５】
請求項１記載の受信機において、
前記ミキサの出力信号を受けるアンプと、
前記第２の周波数特性とは異なる第３の周波数特性を有して前記アンプの出力信号を受ける第３のフィルタと、
前記第３のフィルタの出力信号のピークレベルを検出する第３のピーク検出器とを更に備え、
前記制御部は、前記第１、第２及び第３のピーク検出器の各々の出力信号に応じて、前記高周波アンプ、前記ミキサ、前記アンプのうち少なくとも１つのゲインを制御する受信機。
【請求項６】
請求項５記載の受信機において、
前記アンプの出力信号を受ける第２のアンプと、
前記第２の周波数特性とは異なる第４の周波数特性を有して前記第２のアンプの出力信号を受ける第４のフィルタと、
前記第４のフィルタの出力信号のピークレベルを検出する第４のピーク検出器とを更に備え、
前記制御部は、前記第１、第２、第３及び第４のピーク検出器の各々の出力信号に応じて、前記高周波アンプ、前記ミキサ、前記アンプ、前記第２のアンプのうち少なくとも１つのゲインを制御する受信機。
【請求項７】
入力された第１の高周波信号を増幅する第１の高周波アンプと、
前記第１の高周波アンプの出力信号を周波数変換する第１のミキサと、
入力された第２の高周波信号を増幅する第２の高周波アンプと、
出力位相を調整する機能を有して、前記第２の高周波アンプの出力信号を周波数変換する第２のミキサと、
前記第１のミキサの出力信号と前記第２のミキサの出力信号とを加算する加算器と、
第１の周波数特性を有して前記加算器の出力信号を受ける第１のフィルタと、
前記第１のフィルタの出力信号のピークレベルを検出する第１のピーク検出器と、
前記第１の周波数特性とは異なる第２の周波数特性を有して前記加算器の出力信号を受ける第２のフィルタと、
前記第２のフィルタの出力信号のピークレベルを検出する第２のピーク検出器と、
前記第１及び第２のピーク検出器の各々の出力信号に応じて、前記第１及び第２の高周波アンプ、前記第１及び第２のミキサのうち少なくとも１つのゲインを制御し、かつ前記加算器の加算動作のオン・オフを制御する制御部とを備えた受信機。
【請求項８】
入力された第１の高周波信号を増幅する第１の高周波アンプと、
出力位相を調整する機能を有して、入力された第２の高周波信号を増幅する第２の高周波アンプと、
前記第１の高周波アンプの出力信号と前記第２の高周波アンプの出力信号とを加算する加算器と、
前記加算器の出力信号を周波数変換するミキサと、
第１の周波数特性を有して前記ミキサの出力信号を受ける第１のフィルタと、
前記第１のフィルタの出力信号のピークレベルを検出する第１のピーク検出器と、
前記第１の周波数特性とは異なる第２の周波数特性を有して前記ミキサの出力信号を受ける第２のフィルタと、
前記第２のフィルタの出力信号のピークレベルを検出する第２のピーク検出器と、
前記第１及び第２のピーク検出器の各々の出力信号に応じて、前記第１及び第２の高周波アンプ、前記ミキサのうち少なくとも１つのゲインを制御し、かつ前記加算器の加算動作のオン・オフを制御する制御部とを備えた受信機。
【発明の詳細な説明】
【技術分野】
【０００１】
本発明は、高周波信号の受信機に関するものである。
【背景技術】
【０００２】
今日、スマートフォン等では複数の無線システムが混在し、厳しい妨害条件が想定される。従来は、受信性能が著しく劣化するのを防ぐために、ＳＡＷフィルタといった高価な部品を用いて近接妨害波を抑圧していた。
【０００３】
ある従来技術によれば、フィルタを通った信号と通っていない信号とをそれぞれＡＤ変換して、妨害波の強度をデジタル演算で判断する（特許文献１参照）。
【０００４】
例えば９００ＭＨｚ帯を利用する長距離伝送のための無線ＬＡＮの仕様であるＩＥＥＥ８０２．１１ａｈに対応した受信機では、ＲＦフロントエンド回路のゲインを短時間で制御することが求められる。また、近接妨害波の有無も同時に検出できれば、妨害波有りのときは低歪みモード、無しのときは低ノイズモードといった動作が可能になる。
【先行技術文献】
【特許文献】
【０００５】
【特許文献１】特開２００８−１０９０９号公報
【発明の概要】
【発明が解決しようとする課題】
【０００６】
特許文献１の技術によれば、ＡＤ変換を行ってからデジタル演算で信号レベルを判断するので、判断が遅くなる。
【０００７】
本発明の目的は、希望波と妨害波とのレベル情報を同時に得ることができ、かつ小規模な回路を用いて短時間で受信状況に適したゲイン設定にする技術を提供することにある。
【課題を解決するための手段】
【０００８】
上記目的を達成するため、本発明に係る受信機は、入力された高周波信号を増幅する高周波アンプと、前記高周波アンプの出力信号を周波数変換するミキサと、第１の周波数特性を有して前記ミキサの出力信号を受ける第１のフィルタと、前記第１のフィルタの出力信号のピークレベルを検出する第１のピーク検出器と、前記第１の周波数特性とは異なる第２の周波数特性を有して前記ミキサの出力信号を受ける第２のフィルタと、前記第２のフィルタの出力信号のピークレベルを検出する第２のピーク検出器と、前記第１及び第２のピーク検出器の各々の出力信号に応じて、前記高周波アンプ、前記ミキサのうち少なくとも１つのゲインを制御する制御部とを備えることとした。
【発明の効果】
【０００９】
本発明によれば、希望波と妨害波とのレベル情報を同時に得ることができ、かつ小規模な回路を用いて短時間で受信状況に適したゲイン設定にすることが可能となる。
【図面の簡単な説明】
【００１０】
【図１】本発明の第１の実施形態に係る受信機の構成を示すブロック図である。
【図２】（ａ）は図１中の第１のバンドパスフィルタの妨害波減衰特性を、（ｂ）は図１中の第２のバンドパスフィルタの希望波減衰特性をそれぞれ示す周波数特性図である。
【図３】図１中の第１及び第２のピーク検出器の詳細構成例を示す回路図である。
【図４】図１中の第１及び第２のピーク検出器の他の詳細構成例を示す回路図である。
【図５】図１中の制御部が使用するテーブル情報の例を示す図である。
【図６】本発明の第２の実施形態に係る受信機の構成を示すブロック図である。
【図７】図６中の制御部が使用するテーブル情報の例を示す図である。
【図８】本発明の第３の実施形態に係る受信機の構成を示すブロック図である。
【図９】図８中の制御部が使用するテーブル情報の例を示す図である。
【図１０】本発明の第４の実施形態に係る受信機の構成を示すブロック図である。
【図１１】図１０中の制御部が使用するテーブル情報の例を示す図である。
【図１２】本発明の第５の実施形態に係る受信機の構成を示すブロック図である。
【図１３】図１２中の制御部が使用するテーブル情報の例を示す図である。
【発明を実施するための形態】
【００１１】
以下、本発明の実施形態を図面に基づいて詳細に説明する。
【００１２】
《第１の実施形態》
図１は、本発明の第１の実施形態に係る受信機の構成を示している。図１の受信機は、アンテナ（ＡＮＴ）１１と、低雑音増幅器（ＬＮＡ）２１と、ミキサ（ＭＩＸ）３１と、アンプ（ＡＭＰ）４１と、ローパスフィルタ（ＬＰＦ）５１と、ＡＤ変換器（ＡＤＣ）６１と、復調回路９１とを備えている。アンテナ１１で受信したＲＦ信号は、ＲＦ信号を増幅する高周波アンプである低雑音増幅器２１と、ＲＦ信号をＩＦ信号に周波数変換するミキサ３１と、ＩＦ信号を増幅するアンプ４１と、高周波信号を抑圧するローパスフィルタ５１と、アナログ信号をデジタル信号に変換するＡＤ変換器６１と、復調回路９１とを経て復調される。
【００１３】
図１の受信機は、第１のバンドパスフィルタ（第１ＢＰＦ）７１と、第１のピーク検出器（ＰＤＥＴ１）８１と、第２のバンドパスフィルタ（第２ＢＰＦ）７２と、第２のピーク検出器（ＰＤＥＴ２）８２と、制御部９２と、テーブル情報記憶部１００とを更に備えている。第１のバンドパスフィルタ７１は、第１の周波数特性を有してミキサ３１の出力信号を受けるフィルタである。第１のピーク検出器８１は、第１のバンドパスフィルタ７１の出力信号のピークレベルを検出する回路である。第２のバンドパスフィルタ７２は、第１のバンドパスフィルタ７１の第１の周波数特性とは異なる第２の周波数特性を有してミキサ３１の出力信号を受けるフィルタである。第２のピーク検出器８２は、第２のバンドパスフィルタ７２の出力信号のピークレベルを検出する回路である。制御部９２は、第１及び第２のピーク検出器８１，８２の各々の出力信号Ｐ１，Ｐ２に応じて、低雑音増幅器２１、ミキサ３１のうち少なくとも１つのゲインを制御する機能を有する。信号Ｐ１，Ｐ２は、２値又は多値のデジタル信号である。復調回路９１と、制御部９２とは、ＤＳＰ（digital signal processor）９０により実現される。テーブル情報記憶部１００は、制御部９２が使用するテーブル情報を記憶するメモリである。
【００１４】
図２（ａ）は図１中の第１のバンドパスフィルタ７１の妨害波減衰特性を、図２（ｂ）は図１中の第２のバンドパスフィルタ７２の希望波減衰特性をそれぞれ示す周波数特性図である。第１のバンドパスフィルタ７１は、希望波を減衰させないが、妨害波を２０ｄＢ減衰させる。第２のバンドパスフィルタ７２は、妨害波を減衰させないが、希望波を２０ｄＢ減衰させる。
【００１５】
図３は、図１中の第１及び第２のピーク検出器８１，８２の詳細構成例を示している。図３のピーク検出器は、入力信号をゲートに受けてそのピークレベルを検出するＭＯＳトランジスタ１２１と、当該ＭＯＳトランジスタ１２１に直列接続されたピークレベル保持器１２２とを有する。ピークレベル保持器１２２は、例えば抵抗と容量とで実現される。
【００１６】
図４は、図１中の第１及び第２のピーク検出器８１，８２の他の詳細構成例を示している。図４のピーク検出器は、相補のＩ信号（＋Ｉ信号及び−Ｉ信号）を各々のゲートに受ける第１の差動ＭＯＳトランジスタ対１３１，１３２と、相補のＱ信号（＋Ｑ信号及び−Ｑ信号）を各々のゲートに受ける第２の差動ＭＯＳトランジスタ対１３３，１３４と、当該第１及び第２の差動ＭＯＳトランジスタ対１３１，１３２，１３３，１３４に対して直列接続されたピークレベル保持器１２２とを有する。
【００１７】
図４の構成によれば、＋Ｉ信号、−Ｉ信号、＋Ｑ信号、−Ｑ信号のいずれの信号ノードにもピーク検出器のＭＯＳトランジスタが接続されるため、いずれの信号ノードに対しても負荷を均一にできる。また、ピーク検出器の出力の立ち上がりを速くすることができる。ただし、Ｉ信号、Ｑ信号のうちいずれか一方のみの回路でもよい。また、差動構成に限らず、シングルエンド構成でもよい。
【００１８】
図５は、図１中の制御部９２が使用するテーブル情報の例を示している。第１及び第２のピーク検出器８１，８２の出力信号Ｐ１，Ｐ２は各々「０」又は「１」の２値信号であり、閾値を−１０ｄＢｍに設定する。つまり、信号Ｐ１は希望波が−１０ｄＢｍ以上又は妨害波が＋１０ｄＢｍ以上で「１」、信号Ｐ２は希望波が＋１０ｄＢｍ以上又は妨害波が−１０ｄＢｍ以上で「１」になるように設定する。低雑音増幅器２１の希望波に対するゲインは３０ｄＢ、２０ｄＢ又は０ｄＢに設定可能とし、ミキサ３１の希望波に対するゲインは２０ｄＢ又は０ｄＢに設定可能とする。低雑音増幅器２１の妨害波に対するゲインは、希望波に対するゲインと等しいものとする。ミキサ３１の妨害波に対するゲインは、希望波に対するよりも２０ｄＢ低いものとする。
【００１９】
以上の前提で、低雑音増幅器２１及びミキサ３１のゲイン設定をそれぞれ２０ｄＢとしておいて、制御部９２は、第１及び第２のピーク検出器８１，８２の各々の出力信号Ｐ１，Ｐ２を観測する。そして、制御部９２は、図５のテーブル情報に従って各段のゲインを制御する。例えば、妨害波が−３０ｄＢｍ以下で希望波が−５０ｄＢｍ以下なら低雑音増幅器２１のゲインを３０ｄＢに上げて受信機のノイズ特性を向上させる。妨害波が−３０ｄＢｍ以上だと出力が歪みやすくなるので、希望波が−５０ｄＢｍ以下であっても低雑音増幅器２１のゲインは２０ｄＢにとどめておく。
【００２０】
以上のように、第１の実施形態によれば、希望波と妨害波とのレベル情報を同時に得ることができる。また、図５のように２値信号Ｐ１，Ｐ２の簡単な組み合わせに基づいて低雑音増幅器２１及びミキサ３１のゲイン設定を行うため、計算が簡易であり、短時間で計算が可能となる。したがって、小規模な回路を用いて短時間で受信状況に適したゲイン設定にすることが可能となる。
【００２１】
なお、第１及び第２のバンドパスフィルタ７１，７２は、アンプ４１の出力信号を受けるようにしてもよい。特にミキサ３１が電流出力形である場合には、アンプ４１の電圧出力信号を第１及び第２のバンドパスフィルタ７１，７２へ供給するのが好都合である。この場合には、ミキサ３１とアンプ４１とを電圧出力形のミキサとみなすことができる。
【００２２】
《第２の実施形態》
図６は、本発明の第２の実施形態に係る受信機の構成を示している。図６の受信機は、図１の構成に加えて、第３のバンドパスフィルタ（第３ＢＰＦ）７３と、第３のピーク検出器（ＰＤＥＴ３）８３とを更に備えている。第３のバンドパスフィルタ７３は、第２のバンドパスフィルタ７２の第２の周波数特性とは異なる第３の周波数特性を有してアンプ４１の出力信号を受けるフィルタである。第３のピーク検出器８３は、第３のバンドパスフィルタ７３の出力信号のピークレベルを検出する回路である。制御部９２は、第１、第２及び第３のピーク検出器８１，８２，８３の各々の出力信号Ｐ１，Ｐ２，Ｐ３に応じて、低雑音増幅器２１、ミキサ３１、アンプ４１のうち少なくとも１つのゲインを制御する機能を有する。
【００２３】
例えば、第１及び第３のバンドパスフィルタ７１，７３は、希望波を減衰させないが、妨害波を２０ｄＢ減衰させる。第２のバンドパスフィルタ７２は、妨害波を減衰させないが、希望波を２０ｄＢ減衰させる。第３のピーク検出器８３は、第１及び第２のピーク検出器８１，８２と同様の回路構成で実現できる。
【００２４】
図７は、図６中の制御部９２が使用するテーブル情報の例を示している。第１、第２及び第３のピーク検出器８１，８２，８３の出力信号Ｐ１，Ｐ２，Ｐ３は各々「０」又は「１」の２値信号であり、閾値を−１０ｄＢｍに設定する。つまり、信号Ｐ１及びＰ３は希望波が−１０ｄＢｍ以上又は妨害波が＋１０ｄＢｍ以上で「１」、信号Ｐ２は希望波が＋１０ｄＢｍ以上又は妨害波が−１０ｄＢｍ以上で「１」になるように設定する。低雑音増幅器２１の希望波に対するゲインは３０ｄＢ、２０ｄＢ又は０ｄＢに設定可能とし、ミキサ３１の希望波に対するゲインは２０ｄＢ又は０ｄＢに設定可能とし、アンプ４１の希望波に対するゲインは２０ｄＢ又は０ｄＢに設定可能とする。低雑音増幅器２１の妨害波に対するゲインは、希望波に対するゲインと等しいものとする。妨害波に対するミキサ３１及びアンプ４１のゲインは、各々の希望波に対するゲインよりも２０ｄＢ低いものとする。
【００２５】
以上の前提で、低雑音増幅器２１、ミキサ３１及びアンプ４１のゲイン設定をそれぞれ２０ｄＢとしておいて、制御部９２は、第１、第２及び第３のピーク検出器８１，８２，８３の各々の出力信号Ｐ１，Ｐ２，Ｐ３を観測する。そして、制御部９２は、図７のテーブル情報に従って各段のゲインを制御する。例えば、妨害波が−３０ｄＢｍ以下で希望波が−７０ｄＢｍ以下なら低雑音増幅器２１のゲインを３０ｄＢに上げて受信機のノイズ特性を向上させる。妨害波が−３０ｄＢｍ以上だと出力が歪みやすくなるので、希望波が−７０ｄＢｍ以下であっても低雑音増幅器２１のゲインは２０ｄＢにとどめておく。
【００２６】
以上のように、第２の実施形態によれば、希望波と妨害波とのレベル情報を同時に得ることができ、かつ小規模な回路を用いて短時間で受信状況に適したゲイン設定にすることが可能となる。しかも、第１の実施形態の場合よりも細やかなゲイン設定を実現できる。
【００２７】
《第３の実施形態》
図８は、本発明の第３の実施形態に係る受信機の構成を示している。図８の受信機は、図６の構成と違って、ミキサ３１とローパスフィルタ５１との間に第１のアンプ（ＡＭＰ１）４１に加えて当該第１のアンプ４１の出力信号を受ける第２のアンプ（ＡＭＰ２）４２を備え、かつ第４のバンドパスフィルタ（第４ＢＰＦ）７４と、第４のピーク検出器（ＰＤＥＴ４）８４とを更に備えている。第４のバンドパスフィルタ７４は、第２のバンドパスフィルタ７２の第２の周波数特性とは異なる第４の周波数特性を有して第２のアンプ４２の出力信号を受けるフィルタである。第４のピーク検出器８４は、第４のバンドパスフィルタ７４の出力信号のピークレベルを検出する回路である。制御部９２は、第１、第２、第３及び第４のピーク検出器８１，８２，８３，８４の各々の出力信号Ｐ１，Ｐ２，Ｐ３，Ｐ４に応じて、低雑音増幅器２１、ミキサ３１、第１のアンプ４１、第２のアンプ４２のうち少なくとも１つのゲインを制御する機能を有する。
【００２８】
例えば、第１、第３及び第４のバンドパスフィルタ７１，７３，７４は、希望波を減衰させないが、妨害波を２０ｄＢ減衰させる。第２のバンドパスフィルタ７２は、妨害波を減衰させないが、希望波を２０ｄＢ減衰させる。第４のピーク検出器８４は、第１、第２及び第３のピーク検出器８１，８２，８３と同様の回路構成で実現できる。
【００２９】
図９は、図８中の制御部９２が使用するテーブル情報の例を示している。第１、第２、第３及び第４のピーク検出器８１，８２，８３，８４の出力信号Ｐ１，Ｐ２，Ｐ３，Ｐ４は各々「０」又は「１」の２値信号であり、閾値を−１０ｄＢｍに設定する。つまり、信号Ｐ１、Ｐ３及びＰ４は希望波が−１０ｄＢｍ以上又は妨害波が＋１０ｄＢｍ以上で「１」、信号Ｐ２は希望波が＋１０ｄＢｍ以上又は妨害波が−１０ｄＢｍ以上で「１」になるように設定する。低雑音増幅器２１の希望波に対するゲインは３０ｄＢ、２０ｄＢ又は０ｄＢに設定可能とし、ミキサ３１の希望波に対するゲインは２０ｄＢ又は０ｄＢに設定可能とし、第１のアンプ４１の希望波に対するゲインは２０ｄＢ又は０ｄＢに設定可能とし、第２のアンプ４２の希望波に対するゲインは２０ｄＢ又は０ｄＢに設定可能とする。低雑音増幅器２１の妨害波に対するゲインは、希望波に対するゲインと等しいものとする。妨害波に対するミキサ３１、第１のアンプ４１及び第２のアンプ４２のゲインは、各々の希望波に対するゲインよりも２０ｄＢ低いものとする。
【００３０】
以上の前提で、低雑音増幅器２１、ミキサ３１、第１のアンプ４１及び第２のアンプ４２のゲイン設定をそれぞれ２０ｄＢとしておいて、制御部９２は、第１、第２、第３及び第４のピーク検出器８１，８２，８３，８４の各々の出力信号Ｐ１，Ｐ２，Ｐ３，Ｐ４を観測する。そして、制御部９２は、図９のテーブル情報に従って各段のゲインを制御する。例えば、妨害波が−３０ｄＢｍ以下で希望波が−７０ｄＢｍ以下なら低雑音増幅器２１のゲインを３０ｄＢに上げて受信機のノイズ特性を向上させる。妨害波が−３０ｄＢｍ以上だと出力が歪みやすくなるので、希望波が−７０ｄＢｍ以下であっても低雑音増幅器２１のゲインは２０ｄＢにとどめておく。
【００３１】
以上のように、第３の実施形態によれば、希望波と妨害波とのレベル情報を同時に得ることができ、かつ小規模な回路を用いて短時間で受信状況に適したゲイン設定にすることが可能となる。しかも、第２の実施形態の場合よりも細やかなゲイン設定を実現できる。
【００３２】
《第４の実施形態》
図１０は、本発明の第４の実施形態に係る受信機の構成を示している。図１０の受信機は、第１のアンテナ（ＡＮＴ１）１１と、第１の低雑音増幅器（ＬＮＡ１）２１と、第１のミキサ（ＭＩＸ１）３１と、第２のアンテナ（ＡＮＴ２）１２と、第２の低雑音増幅器（ＬＮＡ２）２２と、第２のミキサ（ＭＩＸ２）３２と、加算器１１０と、アンプ（ＡＭＰ）４１と、ローパスフィルタ（ＬＰＦ）５１と、ＡＤ変換器（ＡＤＣ）６１と、復調回路９１と、第１のバンドパスフィルタ（第１ＢＰＦ）７１と、第１のピーク検出器（ＰＤＥＴ１）８１と、第２のバンドパスフィルタ（第２ＢＰＦ）７２と、第２のピーク検出器（ＰＤＥＴ２）８２と、制御部９２と、テーブル情報記憶部１００とを備えている。制御部９２は、第１及び第２のピーク検出器８１，８２の各々の出力信号Ｐ１，Ｐ２に応じて、第１及び第２の低雑音増幅器２１，２２、第１及び第２のミキサ３１，３２のうち少なくとも１つのゲインを制御し、かつ加算器１１０の加算動作のオン・オフを制御する機能を有する。
【００３３】
加算器１１０の加算動作がオフしている場合には、加算器１１０は、第１のミキサ３１の出力信号をそのまま、アンプ４１、第１のバンドパスフィルタ７１及び第２のバンドパスフィルタ７２へ供給するので、図１０の受信機は、図１の受信機と同様の構成となる。
【００３４】
一方、加算器１１０の加算動作がオンしている場合には、加算器１１０は、第１のミキサ３１の出力信号と第２のミキサ３２の出力信号とを加算する。この際、第２のミキサ３２は出力位相を調整する機能を有するので、第１のアンテナ１１からの妨害波と第２のアンテナ１２からの妨害波とが弱め合うようにできる（ダイバー合成と呼ぶ）。
【００３５】
図１１は、図１０中の制御部９２が使用するテーブル情報の例を示している。第１及び第２のピーク検出器８１，８２の出力信号Ｐ１，Ｐ２は各々「０」又は「１」の２値信号であり、閾値を−１０ｄＢｍに設定する。つまり、信号Ｐ１は希望波が−１０ｄＢｍ以上又は妨害波が＋１０ｄＢｍ以上で「１」、信号Ｐ２は希望波が＋１０ｄＢｍ以上又は妨害波が−１０ｄＢｍ以上で「１」になるように設定する。第１及び第２の低雑音増幅器２１，２２の希望波に対するゲインは３０ｄＢ、２０ｄＢ又は０ｄＢに設定可能とし、第１及び第２のミキサ３１，３２の希望波に対するゲインは２０ｄＢ又は０ｄＢに設定可能とする。第１及び第２の低雑音増幅器２１，２２の妨害波に対するゲインは、希望波に対するゲインと等しいものとする。第１及び第２のミキサ３１，３２の妨害波に対するゲインは、希望波に対するよりも２０ｄＢ低いものとする。
【００３６】
以上の前提で、第１の低雑音増幅器２１及び第１のミキサ３１のゲイン設定をそれぞれ２０ｄＢとしておいて、制御部９２は、第１及び第２のピーク検出器８１，８２の各々の出力信号Ｐ１，Ｐ２を観測する。そして、制御部９２は、図１１のテーブル情報に従って各段のゲインを制御する。例えば、妨害波が−３０ｄＢｍ以下で希望波が−５０ｄＢｍ以下なら第１の低雑音増幅器２１のゲインを３０ｄＢに上げて受信機のノイズ特性を向上させる。妨害波が−３０ｄＢｍ以上だと出力が歪みやすくなるので、希望波が−５０ｄＢｍ以下であっても第１の低雑音増幅器２１のゲインは２０ｄＢにとどめておく。また、加算器１１０の加算動作をオンさせることにより、ダイバー合成を行ってアンプ４１以降の回路の歪み特性を改善させる。
【００３７】
以上のように、第４の実施形態によれば、ダイバー合成を利用しつつ、希望波と妨害波とのレベル情報を同時に得ることができ、かつ小規模な回路を用いて短時間で受信状況に適したゲイン設定にすることが可能となる。
【００３８】
《第５の実施形態》
図１２は、本発明の第５の実施形態に係る受信機の構成を示している。図１２の受信機では、図１０中の加算器１１０の前段の第１及び第２のミキサ３１、３２が、加算器１１０の後段のミキサ３１に置き換えられている。制御部９２は、第１及び第２のピーク検出器８１，８２の各々の出力信号Ｐ１，Ｐ２に応じて、第１及び第２の低雑音増幅器２１，２２、ミキサ３１のうち少なくとも１つのゲインを制御し、かつ加算器１１０の加算動作のオン・オフを制御する機能を有する。
【００３９】
加算器１１０の加算動作がオフしている場合には、加算器１１０は、第１の低雑音増幅器２１の出力信号をそのままミキサ３１へ供給するので、図１２の受信機は、図１の受信機と同様の構成となる。
【００４０】
一方、加算器１１０の加算動作がオンしている場合には、加算器１１０は、第１の低雑音増幅器２１の出力信号と第２の低雑音増幅器２２の出力信号とを加算する。この際、第２の低雑音増幅器２２は出力位相を調整する機能を有するので、第１のアンテナ１１からの妨害波と第２のアンテナ１２からの妨害波とが弱め合うようにできる（ダイバー合成と呼ぶ）。
【００４１】
図１３は、図１２中の制御部９２が使用するテーブル情報の例を示している。第１及び第２のピーク検出器８１，８２の出力信号Ｐ１，Ｐ２は各々「０」又は「１」の２値信号であり、閾値を−１０ｄＢｍに設定する。つまり、信号Ｐ１は希望波が−１０ｄＢｍ以上又は妨害波が＋１０ｄＢｍ以上で「１」、信号Ｐ２は希望波が＋１０ｄＢｍ以上又は妨害波が−１０ｄＢｍ以上で「１」になるように設定する。第１及び第２の低雑音増幅器２１，２２の希望波に対するゲインは３０ｄＢ、２０ｄＢ又は０ｄＢに設定可能とし、ミキサ３１の希望波に対するゲインは２０ｄＢ又は０ｄＢに設定可能とする。第１及び第２の低雑音増幅器２１，２２の妨害波に対するゲインは、希望波に対するゲインと等しいものとする。ミキサ３１の妨害波に対するゲインは、希望波に対するよりも２０ｄＢ低いものとする。
【００４２】
以上の前提で、第１の低雑音増幅器２１及びミキサ３１のゲイン設定をそれぞれ２０ｄＢとしておいて、制御部９２は、第１及び第２のピーク検出器８１，８２の各々の出力信号Ｐ１，Ｐ２を観測する。そして、制御部９２は、図１３のテーブル情報に従って各段のゲインを制御する。例えば、妨害波が−３０ｄＢｍ以下で希望波が−５０ｄＢｍ以下なら第１の低雑音増幅器２１のゲインを３０ｄＢに上げて受信機のノイズ特性を向上させる。妨害波が−３０ｄＢｍ以上だと出力が歪みやすくなるので、希望波が−５０ｄＢｍ以下であっても第１の低雑音増幅器２１のゲインは２０ｄＢにとどめておく。また、加算器１１０の加算動作をオンさせることにより、ダイバー合成を行ってミキサ３１以降の回路の歪み特性を改善させる。
【００４３】
以上のように、第５の実施形態によれば、ダイバー合成を利用しつつ、希望波と妨害波とのレベル情報を同時に得ることができ、かつ小規模な回路を用いて短時間で受信状況に適したゲイン設定にすることが可能となる。しかも、第４の実施形態の場合よりも回路規模を縮小できる。
【００４４】
なお、第４及び第５の実施形態でも、第１の実施形態から第２又は第３の実施形態への変形と同様の変形が可能である。
【産業上の利用可能性】
【００４５】
以上説明してきたとおり、本発明に係る受信機は、希望波と妨害波とのレベル情報を同時に得ることができ、かつ小規模な回路を用いて短時間で受信状況に適したゲイン設定にすることが可能となるので、高周波信号の受信機一般に有用である。
【符号の説明】
【００４６】
１１，１２  アンテナ（ＡＮＴ）
２１，２２  低雑音増幅器（ＬＮＡ）
３１，３２  ミキサ（ＭＩＸ）
４１，４２  アンプ（ＡＭＰ）
５１  ローパスフィルタ（ＬＰＦ）
６１  ＡＤ変換器（ＡＤＣ）
７１〜７４  バンドパスフィルタ（ＢＰＦ）
８１〜８４  ピーク検出器（ＰＤＥＴ）
９０  ＤＳＰ
９１  復調回路
９２  制御部
１００  テーブル情報記憶部
１１０  加算器
１２１  ＭＯＳトランジスタ
１２２  ピークレベル保持器
１３１〜１３４  ＭＯＳトランジスタ
【図１】
2015126365.tif 000003
【図２】
2015126365.tif 000004
【図３】
2015126365.tif 000005
【図４】
2015126365.tif 000006
【図５】
2015126365.tif 000007
【図６】
2015126365.tif 000008
【図７】
2015126365.tif 000009
【図８】
2015126365.tif 000010
【図９】
2015126365.tif 000011
【図１０】
2015126365.tif 000012
【図１１】
2015126365.tif 000013
【図１２】
2015126365.tif 000014
【図１３】
2015126365.tif 000015